(57)【特許請求の範囲】
【請求項１】
三相４線式交流電源に接続されたコンセントボックスから、前記三相のうちの第一相に基づいた単相出力、前記三相のうちの前記第一相とは異なる第二相に基づいた単相出力、或いは前記三相のうちの前記第一相及び前記第二相とは異なる第三相に基づいた単相出力による電源供給を受ける電子機器のための消費電力の管理装置であって、
前記三相のうちの前記第一相、前記第二相、及び前記第三相毎に、電源供給を受けている前記電子機器の消費電力値の合計を計算する合計消費電力計算手段と、
前記計算された消費電力値の合計に基づいて、前記三相間の消費電力差を計算する消費電力差計算手段と、
前記計算された消費電力差に基づいて、前記電子機器の動作に関し指示する指示手段とを、有する消費電力の管理装置。
【請求項２】
計算された前記消費電力差に基づいて、前記三相間の不均衡を判断する判断手段をさらに備える、請求項１に記載の消費電力の管理装置。
【請求項３】
前記判断手段は、計算された前記消費電力差に基づいて、前記三相間の不均衡の最大値を超えているか否かを判断する、請求項２に記載の消費電力の管理装置。
【請求項４】
前記電子機器は、ベースボードマネジメントコントローラを内蔵するコンピュータ装置であり、
前記指示手段は、前記三相のうち、消費電力が多い相に接続されているコンピュータ装置のベースボードマネジメントコントローラに対しては、より小さい値を消費電力の上限値として設定し、消費電力が少ない相に接続されているコンピュータ装置のベースボードマネジメントコントローラに対しては、より大きい値を消費電力の上限値として設定するよう指示する、請求項１乃至請求項３のいずれか一項に記載の消費電力の管理装置。
【請求項５】
前記電子機器はコンピュータ装置であり、
前記指示手段は、前記コンピュータ装置へ処理を割り振る負荷分散装置に対し、前記三相のうち、消費電力が多い相に接続されているコンピュータ装置へ割り振る処理を削減し、消費電力が少ない相に接続されているコンピュータ装置へ割り振る処理を増加させるよう指示する、請求項１乃至請求項３のいずれか一項に記載の消費電力の管理装置。
【請求項６】
前記コンピュータ装置はベースボードマネジメントコントローラを内蔵しており、
前記指示手段は、前記三相のうち、消費電力が多い相に接続されているコンピュータ装置のベースボードマネジメントコントローラに対しては、より小さい値を消費電力の上限値として設定し、消費電力が少ない相に接続されているコンピュータ装置のベースボードマネジメントコントローラに対しては、より大きい値を消費電力の上限値として設定するよう指示する、請求項５に記載の消費電力の管理装置。
【請求項７】
前記ベースボードマネジメントコントローラから、前記コンピュータ装置の消費電力値を入手する消費電力値入手手段をさらに有する、請求項４又は請求項６に記載の消費電力の管理装置。
【請求項８】
三相４線式交流電源に接続されたコンセントボックスから、前記三相のうちの第一相に基づいた単相出力、前記三相のうちの前記第一相とは異なる第二相に基づいた単相出力、或いは前記三相のうちの前記第一相及び前記第二相とは異なる第三相に基づいた単相出力による電源供給を受ける電子機器のための消費電力の管理方法であって、
前記三相のうちの前記第一相、前記第二相、及び前記第三相毎に、電源供給を受けている前記電子機器の消費電力値の合計を計算し、
前記計算された消費電力値の合計に基づいて、前記三相間の消費電力差を計算し、
前記計算された消費電力差に基づいて、前記電子機器の動作に関し指示する、消費電力の管理方法。
【請求項９】
計算された前記消費電力差に基づいて、前記三相間の不均衡を判断する、請求項８に記載の消費電力の管理方法。
【請求項１０】
三相４線式交流電源に接続されたコンセントボックスから、前記三相のうちの第一相に基づいた単相出力、前記三相のうちの前記第一相とは異なる第二相に基づいた単相出力、或いは前記三相のうちの前記第一相及び前記第二相とは異なる第三相に基づいた単相出力による電源供給を受ける電子機器のための消費電力の管理プログラムであって、
消費電力の管理装置を、
前記三相のうちの前記第一相、前記第二相、及び前記第三相毎に、電源供給を受けている前記電子機器の消費電力値の合計を計算する合計消費電力計算手段と、
前記計算された消費電力値の合計に基づいて、前記三相間の消費電力差を計算する消費電力差計算手段と、
前記計算された消費電力差に基づいて、前記電子機器の動作に関し指示する指示手段と、して機能させる消費電力の管理プログラム。
【発明の詳細な説明】
【技術分野】
【０００１】
本発明は、消費電力の管理装置、消費電力の管理方法、及び消費電力の管理プログラムに関し、特に交流電源に接続されたコンセントボックスから単相出力による電源供給を受ける電子機器のための消費電力管理に関する。
【背景技術】
【０００２】
交流電源には様々な給電方式があり、その一つが三相４線方式の交流電源である。三相４線式交流電源では、Ｕ相、Ｖ相及びＷ相の三相電力線Ｕ、Ｖ、Ｗ及び中性線Ｎを有し、三相電力線のいずれか一つと中性線とから単相交流出力を生成し、三つの単相交流出力を供給する。
【０００３】
三相４線式交流電源に接続されたコンセントボックスは、Ｕ相と接続しているコンセント、Ｖ相と接続しているコンセント、及びＷ相と接続しているコンセントを有する。これらコンセントはいずれも、各相電力線と中性線から生成される単相交流を出力する。入力三相４線式で出力単相のコンセントボックスでは、入力の三相電力線Ｕ、Ｖ、Ｗ及び中性線Ｎのうち、ＵとＮの組、ＶとＮの組、ＷとＮの組のいずれかが各コンセントに接続されている。
【０００４】
このような入力三相４線式で出力単相のコンセントボックスから電源供給を受ける電子機器を考える。例えば、電子機器の一例としてコンピュータ装置を想定する。コンピュータ装置をラックマウントする際は、ラック内に上記コンセントボックスを設置し、そのコンセントから電源供給を受けるようにする。
【先行技術文献】
【特許文献】
【０００５】
【特許文献１】特開平７−３１０５８号公報
【特許文献２】特開２０１４−２０２５７２号公報
【発明の概要】
【発明が解決しようとする課題】
【０００６】
しかしながら、上述した交流電源による電源供給には、以下のような課題がある。
【０００７】
上記コンセントボックスに複数のコンピュータ装置を接続して稼働させた場合、各相のコンセントに接続されているコンピュータ装置の相毎の合計消費電力（合計負荷）が一致している場合、入力の中性線Ｎには電流が流れない。しかしながら、相毎の合計消費電力が不一致の場合、負荷の小さい相の余剰電力が不平衡電流として入力の中性線Ｎに流れて、無駄な電力を消費してしまう。三相４線式交流電源は、各相の負荷の差が大きいと効率が落ちる。
【０００８】
これまで、相毎の合計消費電力の不一致への対策としては、各相のコンセントに接続するコンピュータ装置の数を各相で合わせるといった静的な対策のみであった。この対策を採用した場合、各コンピュータ装置の負荷が同調する場合は、相毎の合計消費電力が一致し、無駄な電力消費を削減できる。
【０００９】
しかしながら、各コンピュータ装置の負荷がばらばらに変化する場合、静的な対策では効果が薄く、相毎の合計消費電力が不一致となってしまう。その結果、負荷の小さい相の余剰電力が不平衡電流として入力の中性線Ｎに流れて、無駄な電力を消費してしまうという課題は解決できない。
【００１０】
特許文献１は、三相から単相に変換する電源出力制御装置に関するものであり、消費電力が不均衡となったときに負荷を切り離すことが提案されている。しかしながらこのような制御を行ったのでは、負荷装置の給電が停止してしまい、負荷装置は稼働停止してしまう。
【００１１】
特許文献２は分電盤に関するものであり、消費電力が不均衡となったときには相を切りかえることが提案されている。特許文献２では明記していないが、このような相の切り替え中は該当の分岐負荷への電源供給が止まってしまう。単相出力に接続されている負荷装置に何らかの対策が行われていない場合、切り替え時にその負荷装置が停止してしまい、負荷装置は稼働停止してしまう。
【００１２】
本発明の目的は、三相４線式交流電源から単相交流出力を受けて動作する電子機器の無駄な電力消費を削減できる、消費電力の管理装置、消費電力の管理方法、及び消費電力の管理プログラムを提供することにある。
【課題を解決するための手段】
【００１３】
前記目的を達成するため、本発明に係る消費電力の管理装置は、三相４線式交流電源に接続されたコンセントボックスから、上記三相のうちの第一相に基づいた単相出力、上記三相のうちの上記第一相とは異なる第二相に基づいた単相出力、或いは上記三相のうちの上記第一相及び上記第二相とは異なる第三相に基づいた単相出力による電源供給を受ける電子機器のための消費電力の管理装置であって、
上記三相のうちの上記第一相、上記第二相、及び上記第三相毎に、電源供給を受けている上記電子機器の消費電力値の合計を計算する合計消費電力計算手段と、
上記計算された消費電力値の合計に基づいて、上記三相間の消費電力差を計算する消費電力差計算手段と、
上記計算された消費電力差に基づいて、上記電子機器の動作に関し指示する指示手段とを、有する。
【００１４】
本発明に係る消費電力の管理方法は、三相４線式交流電源に接続されたコンセントボックスから、上記三相のうちの第一相に基づいた単相出力、上記三相のうちの上記第一相とは異なる第二相に基づいた単相出力、或いは上記三相のうちの上記第一相及び上記第二相とは異なる第三相に基づいた単相出力による電源供給を受ける電子機器のための消費電力の管理方法であって、
上記三相のうちの上記第一相、上記第二相、及び上記第三相毎に、電源供給を受けている上記電子機器の消費電力値の合計を計算し、
上記計算された消費電力値の合計に基づいて、上記三相間の消費電力差を計算し、
上記計算された消費電力差に基づいて、上記電子機器の動作に関し指示する。
【００１５】
本発明に係る消費電力の管理プログラムは、三相４線式交流電源に接続されたコンセントボックスから、上記三相のうちの第一相に基づいた単相出力、上記三相のうちの上記第一相とは異なる第二相に基づいた単相出力、或いは上記三相のうちの上記第一相及び上記第二相とは異なる第三相に基づいた単相出力による電源供給を受ける電子機器のための消費電力の管理プログラムであって、
消費電力の管理装置を、
上記三相のうちの上記第一相、上記第二相、及び上記第三相毎に、電源供給を受けている上記電子機器の消費電力値の合計を計算する合計消費電力計算手段と、
上記計算された消費電力値の合計に基づいて、上記三相間の消費電力差を計算する消費電力差計算手段と、
上記計算された消費電力差に基づいて、上記電子機器の動作に関し指示する指示手段と、して機能させる。
【発明の効果】
【００１６】
本発明によれば、三相４線式交流電源の三相のうちの各相間の消費電力差を計算し、上記計算された消費電力差に基づいて、上記電子機器の動作に関し指示することにより、三相間の合計消費電力の差が小さくなり、無駄な電力消費を削減できる。
【図面の簡単な説明】
【００１７】
【図１】本発明の最上位概念の実施形態による管理装置を示すブロック図である。
【図２】本発明の第１実施形態による管理装置や管理方法が適用されるコンピュータシステムを示すブロック図である。
【図３】図２の管理ソフトウェアに含まれる管理プログラムの構成を示すブロック図である。
【図４】本発明の第１実施形態による管理方法を説明するためのシーケンス図である。
【図５】本発明の第２実施形態による管理装置や管理方法が適用されるコンピュータシステムを示すブロック図である。
【図６】本発明の第２実施形態による管理方法を説明するためのシーケンス図である。
【図７】本発明の第３実施形態による管理方法を説明するためのシーケンス図である。
【図８】本発明の第１実施形態による管理装置の他構成例を示すブロック図である。
【発明を実施するための形態】
【００１８】
本発明の好ましい実施形態について、図面を参照しながら詳細に説明する。
【００１９】
図１は、本発明の最上位概念の実施形態による管理装置を示すブロック図である。図１の管理装置２０は、三相４線式交流電源に接続されたコンセントボックスから、電源供給を受ける電子機器のための消費電力の管理装置である。電子機器は、コンセントボックスから、三相のうちの第一相に基づいた単相出力、三相のうちの上記第一相とは異なる第二相に基づいた単相出力、或いは三相のうちの上記第一相及び上記第二相とは異なる第三相に基づいた単相出力による、電源供給を受ける。
【００２０】
図１の管理装置２０は、上記三相のうちの上記第一相、上記第二相、及び上記第三相毎に、電源供給を受けている電子機器の消費電力値の合計を計算する合計消費電力計算手段２４を有する。さらに管理装置２０は、上記計算された消費電力値の合計に基づいて、上記三相間の消費電力差を計算する消費電力差計算手段２５と、上記計算された消費電力差に基づいて、上記電子機器の動作に関し指示する指示手段２７とを、有する。
【００２１】
図１の管理装置２０では、合計消費電力計算手段２４が上記三相のうちの上記第一相、上記第二相、及び上記第三相毎に、電源供給を受けている電子機器の消費電力値の合計を計算する。消費電力差計算手段２５が、上記計算された消費電力値の合計に基づいて、上記三相間の消費電力差を計算する。これにより、相毎の合計消費電力が一致しているか否かが分かる。この上記計算された消費電力差に基づいて、上記電子機器の動作に関し指示手段２７が指示する。例えば、電子機器が内蔵し、電子機器の動作状態を制御する制御部に対して、指示する。或いは、複数の電子機器に対し処理を割り振る負荷分散装置に対して、指示する。
【００２２】
図１の管理装置２０によれば、計算された消費電力差に基づいて、上記電子機器の動作に関し指示することにより、相毎の合計消費電力を一致させることができる。その結果、相毎の合計消費電力の不一致に起因する、無駄な電力消費を削減できる。以下、本発明のより詳細な実施形態について説明する。
【００２３】
本発明は、複数のコンピュータ装置を用いてクラスタ等を構成しているコンピュータシステムが入力三相４線式で出力単相のコンセントボックスから電源供給を受けている構成に適用した場合に特に有効な、消費電力管理制御手法を提供するものである。
【００２４】
〔第１実施形態〕
初めに、本発明の第１実施形態による消費電力の管理装置、消費電力の管理方法、及び消費電力の管理プログラムについて、説明する。本実施形態による消費電力制御は、パワーキャッピング機能を用いるものである。
【００２５】
図２は、本発明の第１実施形態による管理装置と、管理装置により管理される複数のコンピュータ装置とを含むコンピュータシステムを示すブロック図である。図３は、図２の管理ソフトウェアに含まれる管理プログラムの構成を示すブロック図である。図４は、本発明の第１実施形態による管理方法を説明するためのシーケンス図である。
【００２６】
（構成）
本実施形態の管理装置２０は、分電盤４０に三相４線式の三相電源ケーブル３７を経由して接続されたコンセントボックス３０から、三相、例えばＵ相、Ｖ相及びＷ相、に基づいた単相出力による電源供給を受ける電子機器のための消費電力管理装置である。コンセントボックス３０から電源供給を受ける電子機器の一例は、コンピュータ装置である。
【００２７】
本実施形態の管理装置及び管理方法が適用されるコンピュータシステムについて、より詳細に説明する。図１に示すように、コンピュータシステムは、複数のコンピュータ装置１０〜１５と、管理装置２０とから、主に構成されている。
【００２８】
各コンピュータ装置１０〜１５は、入力三相４線式で出力単相のコンセントボックス３０に、おのおの単相の電源ケーブル６０〜６５で接続されている。コンセントボックス３０は、分電盤４０に、三相４線式に対応した三相電源ケーブル３７で接続されており、分電盤４０から三相の電源を受電している。
【００２９】
コンセントボックス３０は、出力用として複数の単相のコンセント３１〜３６を持っている。コンセントボックス３０では、入力の三相電力線Ｕ、Ｖ、Ｗ及び中性線Ｎのうち、ＵとＮの組（以下Ｕ相）がコンセント３１と３２、ＶとＮの組（以下Ｖ相）がコンセント３３と３４、ＷとＮの組（以下Ｗ相）がコンセント３５と３６に接続されている。これらコンセントはいずれも、各相電力線Ｕ、Ｖ、Ｗと中性線Ｎから生成される単相交流を出力する。
【００３０】
そして、第１コンピュータ装置１０の電源ケーブル６０、第２コンピュータ装置１１の電源ケーブル６１は、Ｕ相のコンセント３１、３２に、接続されている。第３コンピュータ装置１２の電源ケーブル６２、第４コンピュータ装置１３の電源ケーブル６３は、Ｖ相のコンセント３３、３４に接続されている。第５コンピュータ装置１４の電源ケーブル６４、第６コンピュータ装置１５の電源ケーブル６５は、Ｗ相のコンセント３５、３６に接続されている。
【００３１】
コンピュータ装置１０〜１５と管理装置２０とは、管理用ネットワーク５０を介して接続されている。
【００３２】
各コンピュータ装置内部の構成について、第１コンピュータ装置１０を例に説明する。第１コンピュータ装置１０は、ＢＭＣ（ベースボードマネジメントコントローラ：Baseboard Management Controller）１００と、メモリ１０４と、ＣＰＵ（Central Processing Unit）１０５とを、含む。さらに第１コンピュータ装置１０は、ＰＣＨ（Platform Controller Hub）１０１と、ＰＳＵ（Power Supply Unit）１０３と、ＩＯ（Input and Output）カード１０６とを、含む。
【００３３】
ＰＣＨ１０１内にはＮＭ（Node Manager）１０２があり、ＢＭＣ１００はＮＭ１０２と連携して、第１コンピュータ装置１０の管理を実施している。ＢＭＣ１００とＰＣＨ１０１はＳＭＢｕｓ（System Management Bus）１１０で接続されており、ＢＭＣ１００とＮＭ１０２間の通信はＳＭＢｕｓ１１０を介して行われる。ＢＭＣ１００とＰＣＨ１０１、ＰＳＵ１０３間はＰＭＢｕｓ（Power Management Bus）１１１で接続されており、ＢＭＣ１００やＮＭ１０２はＰＭＢｕｓ１１１を介してＰＳＵ１０３にアクセスする。ＣＰＵ１０５とメモリ１０４はＤＤＲ４  Ｉ／Ｆ（DDR4 Interface）１１２で接続されており、通常のアクセスはこれを介して行われる。ＣＰＵ１０５とＩＯカード１０６はＰＣＩｅ  Ｉ／Ｆ（PCI Express Interface）１１３で接続されており、通常のアクセスはこれを介して行われる。ＣＰＵ１０５とＰＣＨ１０１はＤＭＩ（Direct Media Interface）１１４で接続されており、通常のアクセスはこれを介して行われる。ＣＰＵ１０５とＰＣＨ１０１間は、ＰＥＣＩ（Platform Environment Control Interface）１１５でも接続されており、ＮＭ１０２はＰＥＣＩ１１５を介してＣＰＵにアクセスする。ＢＭＣ１００は、管理用ネットワーク５０と接続されている。ＰＳＵ１０３には電源ケーブル６０が接続されており、コンセントボックス３０から単相の電源を受電している。
【００３４】
管理装置２０上では、コンピュータシステム全体を管理する管理ソフトウェア２１が動作しており、各コンピュータ装置１０〜１５内のＢＭＣは管理ソフトウェア２１と連携して動作する。管理装置２０は、一つのコンセントボックス３０から電源供給を受けている、全てのコンピュータ装置１０〜１５のＢＭＣから当該装置の消費電力を取得する。各コンピュータ装置１０〜１５のＢＭＣは、ＮＭとの連携により、各コンピュータ装置１０〜１５の消費電力の監視機能や、パワーキャッピング（電力制限）機能等を実現する。ＮＭは、ＰＭＢｕｓを介してＰＳＵにアクセスして、ＰＳＵ内の消費電力に関する情報を入手する。またＮＭは、ＰＥＣＩを介してＣＰＵにアクセスして、ＣＰＵやメモリの動作率を制御する。
【００３５】
管理装置２０の管理ソフトウェア２１は、各コンピュータ装置１０〜１５のＢＭＣから当該装置の消費電力を取得する機能を持っている。管理ソフトウェア２１は管理装置２０を、図３に示すように消費電力値入手手段２３、合計消費電力計算手段２４、消費電力差計算手段２５、判断手段２６、及び指示手段２７として機能させる管理プログラム２２を含む。
【００３６】
消費電力値入手手段２３は、全コンピュータ装置１０〜１５のＢＭＣに対し、定期的に各コンピュータ装置の消費電力の問い合わせを実施する。問い合わせを受けたＢＭＣは、ＮＭと連携して監視している現在の消費電力の値を管理ソフトウェアに返却する。
【００３７】
合計消費電力計算手段２４は、各コンピュータ装置が三相のうちのどの相のコンセントに接続しているかを示す情報に基づき、相毎の合計消費電力を計算する。
【００３８】
消費電力差計算手段２５は、相間の合計消費電力の差を計算する。
【００３９】
判断手段２６は、消費電力差計算手段２５が計算した消費電力差に基づいて、相毎の合計消費電力の一致／不一致を判断する。より具体的には予め相間の不均衡の最大値を設定しておき、この相間の不均衡の最大値の値に基づき、相間の合計消費電力の差がこの設定値を超えているかどうかの判断を実施する。
【００４０】
指示手段２７は、判断手段２６の判断結果が不均衡の最大値を超えているというものであったときには、コンピュータ装置１０〜１５の動作に関し指示する。具体的には、各コンピュータ装置のＢＭＣへ消費電力の上限値として下記の値を設定するよう、指示する。
・消費電力が多い相に接続されているコンピュータ装置：  現在より小さい値
・消費電力が少ない相に接続されているコンピュータ装置：  現在より大きい値
ＢＭＣは、ＮＭと連携してＣＰＵやメモリの動作率を調整し、消費電力が設定された上限値以下になるようにする（パワーキャッピング機能）。
【００４１】
このような制御により、合計消費電力が多い相に接続されているコンピュータ装置の負荷は小さくなり、合計消費電力が少ない相に接続されているコンピュータ装置の負荷は大きくなる。その結果、合計消費電力が多い相に接続されているコンピュータ装置の消費電力は小さくなり、合計消費電力が少ない相に接続されているコンピュータ装置の消費電力は大きくなる。
【００４２】
（動作）
次に、図４のシーケンス図を参照して、本実施形態による消費電力の管理方法について説明する。
【００４３】
最初に、ユーザやＳＥ（System Engineer）等は、各コンピュータ装置が三相（Ｕ相、Ｖ相、Ｗ相）のうちのどの相のコンセントに接続しているかを示す情報と、相間の不均衡の最大値を、管理ソフトウェア２１に設定する。ここで相間の不均衡の最大値とは、不均衡をどこまで許すかの値である。
【００４４】
その後、管理ソフトウェア２１は、以下の動作を行う。
【００４５】
管理ソフトウェア２１は、全コンピュータ装置のＢＭＣに対し、定期的に各装置の消費電力の問い合わせを実施する。問い合わせを受けたＢＭＣは、ＮＭと連携して監視している現在の消費電力の値を、管理ソフトウェアに返却する。
【００４６】
次に管理ソフトウェア２１は、各コンピュータ装置が三相のうちのどの相のコンセントに接続しているかを示す情報に基づき、相毎の合計消費電力を計算する。
【００４７】
次に管理ソフトウェア２１は、相間の合計消費電力の差を計算する。
【００４８】
次に管理ソフトウェア２１は、設定されている相間の不均衡の最大値の値に基づき、相間の合計消費電力の差がこの設定値を超えているかどうかの判断を実施する。超えている場合、管理ソフトウェア２１は、各コンピュータ装置のＢＭＣへ消費電力の上限値として下記の値を設定する。消費電力が多い相に接続されているコンピュータ装置に対しては、消費電力の上限値を現在より小さい値に設定するよう、指示する。消費電力が少ない相に接続されているコンピュータ装置に対しては、消費電力の上限値を現在より大きい値に設定するよう、指示する。計算した相間の合計消費電力の差が上記最大値を超えていないときには、全コンピュータ装置のＢＭＣに対する、定期的な消費電力の問い合わせに戻る。
【００４９】
（効果）
管理ソフトウェア２１による、各コンピュータ装置のＢＭＣへの指示の結果、ＢＭＣは、ＮＭと連携してＣＰＵやメモリの動作率を調整し、消費電力が設定された上限値以下になるようコンピュータ装置を制御する。これにより、合計消費電力が多い相に接続されているコンピュータ装置の負荷は小さくなり、合計消費電力が少ない相に接続されているコンピュータ装置の負荷は大きくなる。この制御の結果、相間の合計消費電力の差が小さくなる。
【００５０】
本実施形態によれば、三相入力の各相の消費電力（負荷）が均一化される。これにより、中性線Ｎに流れる不平衡電流が減る。負荷の小さい相の余剰電力が不平衡電流として入力の中性線Ｎに流れることに起因する、無駄な電力消費を削減することができる。
【００５１】
本実施形態によれば、複数のコンピュータ装置を用いてクラスタ等を構成しているシステムが入力三相４線式で出力単相のコンセントボックスから電源供給を受けている構成において、三相入力の各相の負荷バランスを均衡に保つよう制御することができる。
【００５２】
また本実施形態によれば、三相入力の各相の消費電力（負荷）の均一化の際に、コンセントボックスは電源供給を継続しておりコンピュータ装置は稼働し続けることができる。三相入力の各相の消費電力（負荷）の均一化は、コンピュータ装置の稼働に悪影響を与えることがない。
【００５３】
また本実施形態によれば、管理装置２０による消費電力管理は主にソフトウェアによって実現されているので、新たなハードウェアを必要とすることなく、無駄な電力消費を削減することができる。
【００５４】
〔第２実施形態〕
次に、本発明の第２実施形態による消費電力の管理装置、管理方法、及び管理プログラムについて、説明する。本実施形態による消費電力制御は、負荷分散を用いるものである。第１実施形態と同様な要素に対しては同じ参照番号を付与することにより、詳細な説明を省略することとする。
【００５５】
（構成）
本実施形態の管理装置及び管理方法が適用されるコンピュータシステムは、図５に示すように、複数のコンピュータ装置１０〜１５と、管理装置２０と、負荷分散装置７０とから、主に構成されている。
【００５６】
分電盤４０、三相電源ケーブル３７、コンセントボックス３０、単相電源ケーブル６０〜６５は、第１実施形態と共通である。第１コンピュータ装置１０〜第６コンピュータ装置１５の構成要素も、これらに対する制御などを除き、第１実施形態と共通である。
【００５７】
本実施形態の管理装置２０が適用されるコンピュータシステムでは、各コンピュータ装置１０〜１５は、業務用ネットワーク５１を介して負荷分散装置（ロードバランサ）７０と接続されている。負荷分散装置７０は、外部ネットワーク５２にも接続されている。
【００５８】
各コンピュータ装置１０〜１５において、業務用ネットワーク５１は、ＯＳ（Operating System）配下のＮＩＣ（Network Interface Card）やＬＯＭ（LAN on Mother）等のネットワークインターフェースに接続されている。負荷分散装置７０は、管理用ネットワーク５０を介して管理装置２０とも接続されている。
【００５９】
負荷分散装置７０は、外部ネットワーク５２からのリクエスト等の処理をどのコンピュータ装置で実施するかを判断し、業務用ネットワーク５１を介して各コンピュータ装置１０〜１５に処理を割り振る。
【００６０】
管理装置２０の管理ソフトウェア２１は、第１実施形態と同様に、各コンピュータ装置１０〜１５のＢＭＣから当該装置の消費電力を取得する機能を持っている。さらに、管理ソフトウェア２１は管理装置２０を、図３に示すように消費電力値入手手段２３、合計消費電力計算手段２４、消費電力差計算手段２５、判断手段２６、及び指示手段２７として機能させる管理プログラム２２を含む。
【００６１】
本実施形態では、指示手段２７の働きが第１実施形態と異なる。本実施形態の指示手段２７は、判断手段２６による相間の合計消費電力差の判断結果が、不均衡の最大値の設定値を超えているときには、負荷分散装置７０に対して、コンピュータ装置毎の処理の割り振りの割合の増加／削減を指示する。
・消費電力が多い相に接続されているコンピュータ装置に割り振る処理の量の削減
・消費電力が少ない相に接続されているコンピュータ装置に割り振る処理の量の増加
負荷分散装置７０は、外部ネットワーク５２からのリクエスト等の処理をどのコンピュータ装置で実施するかの判断に、管理ソフトウェア２１からの指示を反映する。これにより、合計消費電力が多い相に接続されているコンピュータ装置の負荷は小さくなり、合計消費電力が少ない相に接続されているコンピュータ装置の負荷は大きくなる。その結果、合計消費電力が多い相に接続されているコンピュータ装置の消費電力は小さくなり、合計消費電力が少ない相に接続されているコンピュータ装置の消費電力は大きくなる。
【００６２】
（動作）
次に、図６のシーケンス図を参照して、本実施形態による消費電力の管理方法について説明する。
【００６３】
最初に、第１実施形態と同様に、ユーザやＳＥ等は、各コンピュータ装置が三相（Ｕ相、Ｖ相、Ｗ相）のうちのどの相のコンセントに接続しているかを示す情報と、相間の不均衡の最大値を、管理ソフトウェア２１に設定する。
【００６４】
その後、管理ソフトウェア２１は、以下の動作を行う。
【００６５】
管理ソフトウェア２１は、第１実施形態と同様に、全コンピュータ装置のＢＭＣに対し、定期的に各装置の消費電力の問い合わせを実施する。問い合わせを受けたＢＭＣは、ＮＭと連携して監視している現在の消費電力の値を、管理ソフトウェアに返却する。
【００６６】
次に管理ソフトウェア２１は、第１実施形態と同様に、各コンピュータ装置が三相のうちのどの相のコンセントに接続しているかを示す情報に基づき、相毎の合計消費電力を計算する。
【００６７】
次に管理ソフトウェア２１は、第１実施形態と同様に、相間の合計消費電力の差を計算する。
【００６８】
次に管理ソフトウェア２１は、第１実施形態と同様に、設定されている相間の不均衡の最大値の値に基づき、相間の合計消費電力の差がこの設定値を超えているかどうかの判断を実施する。
【００６９】
相間の合計消費電力の差がこの設定値を超えている場合、管理ソフトウェア２１は、負荷分散装置７０に対して、コンピュータ装置毎の処理の割り振りの割合の増加／削減を指示する。消費電力が多い相に接続されているコンピュータ装置に割り振る処理の量を減らすように、消費電力が少ない相に接続されているコンピュータ装置に割り振る処理の量を増やすように、管理ソフトウェア２１は負荷分散装置７０へ指示する。計算した相間の合計消費電力の差が上記最大値を超えていないときには、全コンピュータ装置のＢＭＣに対する、定期的な消費電力の問い合わせに戻る。
【００７０】
（効果）
管理ソフトウェア２１による、負荷分散装置７０への指示の結果、負荷分散装置７０は外部ネットワーク５２からのリクエスト等の処理をどのコンピュータ装置で実施するかの判断に、管理ソフトウェア２１からの指示を反映させる。これにより、合計消費電力が多い相に接続されているコンピュータ装置の負荷は小さくなり、合計消費電力が少ない相に接続されているコンピュータ装置の負荷は大きくなる。この制御の結果、相間の合計消費電力の差が小さくなる。
【００７１】
本実施形態によれば、第１実施形態と同様に、三相入力の各相の消費電力（負荷）が均一化される。これにより、中性線Ｎに流れる不平衡電流が減る。負荷の小さい相の余剰電力が不平衡電流として入力の中性線Ｎに流れることに起因する、無駄な電力消費を削減することができる。
【００７２】
本実施形態によれば、複数のコンピュータ装置を用いてクラスタ等を構成しているシステムが入力三相４線式で出力単相のコンセントボックスから電源供給を受けている構成において、三相入力の各相の負荷バランスを均衡に保つよう制御することができる。
【００７３】
また本実施形態によれば、三相入力の各相の消費電力（負荷）の均一化の際に、コンセントボックスは電源供給を継続しておりコンピュータ装置は稼働し続けることができる。三相入力の各相の消費電力（負荷）の均一化は、コンピュータ装置の稼働に悪影響を与えることがない。
【００７４】
さらに本実施形態によれば、負荷分散装置７０を使用した処理割り振り先の変更により三相入力の各相の消費電力（負荷）が均一化される。これにより、システム全体の性能を落とすことなく、無駄な電力消費を削減することができる。
【００７５】
〔第３実施形態〕
次に、本発明の第３実施形態による消費電力の管理装置、管理方法、及び管理プログラムについて、説明する。本発明は、上述した実施形態に限定されるものではない。上述した実施形態では、第１実施形態のパワーキャッピング機能を用いた消費電力制御と、第２実施形態の負荷分散を用いた消費電力制御とを別々に記載したが、両方の消費電力制御を同時に使用しても良い。両方の消費電力制御を同時に使用した場合を、本発明の第３実施形態として、以下に説明する。第１実施形態や第２実施形態と同様な要素に対しては同じ参照番号を付与することにより、詳細な説明を省略することとする。
【００７６】
（構成）
本実施形態による管理装置及び管理方法が適用されるコンピュータシステムは、第２実施形態のコンピュータシステムとほぼ同様に、複数のコンピュータ装置１０〜１５と、管理装置２０と、負荷分散装置７０とから、主に構成される。
【００７７】
本実施形態の管理装置２０の指示手段２７は、判断手段２６の判断結果が不均衡の最大値を超えているというものであったときには、コンピュータ装置１０〜１５の動作に関し指示する。具体的には、各コンピュータ装置のＢＭＣへ消費電力の上限値として下記の値を設定するよう、指示する。
・消費電力が多い相に接続されているコンピュータ装置：  現在より小さい値
・消費電力が少ない相に接続されているコンピュータ装置：  現在より大きい値
また本実施形態の管理装置２０の指示手段２７は、判断手段２６による相間の合計消費電力差の判断結果が、不均衡の最大値の設定値を超えているときには、負荷分散装置７０に対して、コンピュータ装置毎の処理の割り振りの割合の増加／削減を指示する。
・消費電力が多い相に接続されているコンピュータ装置に割り振る処理の量の削減
・消費電力が少ない相に接続されているコンピュータ装置に割り振る処理の量の増加
これらの制御を併用する。
【００７８】
（動作）
次に、本発明の第３実施形態による消費電力の管理方法について、説明する。図７は、本発明の第３実施形態による管理方法を説明するためのシーケンス図である。図６のシーケンス図を参照して、本実施形態による消費電力の管理方法について説明する。
【００７９】
最初に、第１実施形態や第２実施形態と同様に、ユーザやＳＥ等は、各コンピュータ装置が三相（Ｕ相、Ｖ相、Ｗ相）のうちのどの相のコンセントに接続しているかを示す情報と、相間の不均衡の最大値を、管理ソフトウェア２１に設定する。
【００８０】
その後、管理ソフトウェア２１は、以下の動作を行う。
【００８１】
管理ソフトウェア２１は、第１実施形態や第２実施形態と同様に、全コンピュータ装置のＢＭＣに対し、定期的に各装置の消費電力の問い合わせを実施する。問い合わせを受けたＢＭＣは、ＮＭと連携して監視している現在の消費電力の値を、管理ソフトウェアに返却する。
【００８２】
次に管理ソフトウェア２１は、第１実施形態や第２実施形態と同様に、各コンピュータ装置が三相のうちのどの相のコンセントに接続しているかを示す情報に基づき、相毎の合計消費電力を計算する。
【００８３】
次に管理ソフトウェア２１は、第１実施形態や第２実施形態と同様に、相間の合計消費電力の差を計算する。
【００８４】
次に管理ソフトウェア２１は、第１実施形態や第２実施形態と同様に、設定されている相間の不均衡の最大値の値に基づき、相間の合計消費電力の差がこの設定値を超えているかどうかの判断を実施する。計算した相間の合計消費電力の差が上記最大値を超えていないときには、全コンピュータ装置のＢＭＣに対する、定期的な消費電力の問い合わせに戻る。
【００８５】
相間の合計消費電力の差がこの設定値を超えている場合、管理ソフトウェア２１は第１実施形態と同様に、各コンピュータ装置のＢＭＣへ消費電力の上限値として下記の値を設定する。消費電力が多い相に接続されているコンピュータ装置に対しては、消費電力の上限値を現在より小さい値に設定するよう、指示する。消費電力が少ない相に接続されているコンピュータ装置に対しては、消費電力の上限値を現在より大きい値に設定するよう、指示する。
【００８６】
相間の合計消費電力の差がこの設定値を超えている場合、管理ソフトウェア２１は第２実施形態と同様に、負荷分散装置７０に対して、コンピュータ装置毎の処理の割り振りの割合の増加／削減を指示する。消費電力が多い相に接続されているコンピュータ装置に割り振る処理の量を減らすように、消費電力が少ない相に接続されているコンピュータ装置に割り振る処理の量を増やすように、管理ソフトウェア２１は負荷分散装置７０へ指示する。
【００８７】
管理ソフトウェア２１による、各コンピュータ装置のＢＭＣへの指示の結果、ＢＭＣは、ＮＭと連携してＣＰＵやメモリの動作率を調整変更し、消費電力が設定された上限値以下になるようコンピュータ装置を制御する。
【００８８】
管理ソフトウェア２１による、負荷分散装置７０への指示の結果、負荷分散装置７０は外部ネットワーク５２からのリクエスト等の処理をどのコンピュータ装置で実施するかの判断に、管理ソフトウェア２１からの指示を反映させる。
【００８９】
管理ソフトウェア２１による、各コンピュータ装置のＢＭＣや負荷分散装置７０への指示の結果、実行する処理量が変化する。すなわち、合計消費電力が多い相に接続されているコンピュータ装置の負荷は小さくなり、合計消費電力が少ない相に接続されているコンピュータ装置の負荷は大きくなる。この制御の結果、相間の合計消費電力の差が小さくなる。
【００９０】
（効果）
本実施形態によれば、第１実施形態及び第２実施形態と同様に、三相入力の各相の消費電力（負荷）が均一化される。これにより、中性線Ｎに流れる不平衡電流が減る。負荷の小さい相の余剰電力が不平衡電流として入力の中性線Ｎに流れることに起因する、無駄な電力消費を削減することができる。
【００９１】
本実施形態によれば、複数のコンピュータ装置を用いてクラスタ等を構成しているシステムが入力三相４線式で出力単相のコンセントボックスから電源供給を受けている構成において、三相入力の各相の負荷バランスを均衡に保つよう制御することができる。
【００９２】
さらに本実施形態によれば、第２実施形態と同様に、負荷分散装置７０を使用した処理割り振り先の変更により三相入力の各相の消費電力（負荷）が均一化される。これにより、システム全体の性能を落とすことなく、無駄な電力消費を削減することができる。
【００９３】
（実施形態の変形例や拡張）
以上、本発明の好ましい実施形態を説明したが、本発明はこれに限定されるものではない。特許請求の範囲に記載した発明の範囲内で、種々の変形が可能であり、それらも本発明の範囲に含まれることはいうまでもない。
【００９４】
例えば、第３実施形態の図７のシーケンス図では、パワーキャッピング機能を用いた消費電力制御の後に、負荷分散を用いた消費電力制御を行っているが、負荷分散を用いた消費電力制御の後に、パワーキャッピング機能を用いた消費電力制御を行っても良い。
【００９５】
本発明の実施形態の管理装置２０は管理ソフトウェア２１を含むものとして説明し、ソフトウェアによって本発明の実施形態の各機能が実現されるものとして説明したが、これら各機能の全部又は一部はハードウェアによって実現されても良い。図８は、本発明の第１実施形態による管理装置の他構成例を示すブロック図である。例えば、図８に示すように、消費電力値入力部２２３、合計消費電力計算部２２４、消費電力差計算部２２５、判断部２２６、及び指示部２２７を有する管理装置２０ａのようなハードウェアによっても、上述した実施形態の管理装置は実現され得る。
【００９６】
上述した実施形態では、コンピュータシステム内のコンピュータ装置は６台だが、それ以外の台数でも良い。３台以上で、各相に１台以上あれば良い。
【００９７】
上述した実施形態では、コンセントボックスは１台だが、２台以上でも良い。２台以上の場合、別々の分電盤に接続されていても良い。上述した実施形態では、コンセントボックス内のコンセントの数は６つだが、それ以外の数でも良い。
【００９８】
上述した実施形態では、管理装置や負荷分散装置、各種ネットワークは各々１台／１本ずつだが、複数台／本もうけて、多重化しても良い。
【００９９】
上述した実施形態では、各コンピュータ装置内のＣＰＵやメモリ、ＩＯカードは各々１つずつだが、複数あっても良い。ＣＰＵとメモリ間がＤＤＲ４  Ｉ／ＦとなっているがＤＤＲ３  Ｉ／Ｆ（DDR3 Interface）等の別のメモリＩ／Ｆでも良い。ＣＰＵとＩＯカード間がＰＣＩｅ  Ｉ／Ｆとなっているが、ＰＣＩ  Ｂｕｓ等の別のＩＯ  Ｉ／Ｆでも良い。その他、コンピュータ装置内のＣＰＵ、メモリ、ＩＯカード、チップセット（上記実施形態ではＰＣＨ）の構成は、一般的なサーバの構成であれば良い。
【０１００】
上述した実施形態では、各コンピュータ装置内のＢＭＣは１つだが、複数設け、多重化しても良い。この多重化した場合、１つのＢＭＣがマスターとなり、それ以外のＢＭＣはバックアップとなる。
【０１０１】
上述した実施形態では、各コンピュータ装置内のＰＳＵは１つだが、複数でも良い。また、各コンピュータ装置とコンセントボックス間の電源ケーブルは１本だが、ＰＳＵが複数存在する場合、複数でも良い。電源ケーブルが複数本の場合、１つのコンピュータ装置が、複数のコンセントボックスと接続と接続されていても良い。
【０１０２】
上述した実施形態では、ＢＭＣはＮＭと連携して消費電力の監視機能やパワーキャッピング（電力制限）機能を実現しているが、ＢＭＣのみで実現しても良い。
【０１０３】
上記の実施形態の一部又は全部は、以下の付記のようにも記載されうるが、以下には限られない。
（付記１）三相４線式交流電源に接続されたコンセントボックスから、前記三相のうちの第一相に基づいた単相出力、前記三相のうちの前記第一相とは異なる第二相に基づいた単相出力、或いは前記三相のうちの前記第一相及び前記第二相とは異なる第三相に基づいた単相出力による電源供給を受ける電子機器のための消費電力の管理装置であって、
前記三相のうちの前記第一相、前記第二相、及び前記第三相毎に、電源供給を受けている前記電子機器の消費電力値の合計を計算する合計消費電力計算手段と、
前記計算された消費電力値の合計に基づいて、前記三相間の消費電力差を計算する消費電力差計算手段と、
前記計算された消費電力差に基づいて、前記電子機器の動作に関し指示する指示手段とを、有する消費電力の管理装置。
（付記２）計算された前記消費電力差に基づいて、前記三相間の不均衡を判断する判断手段をさらに備える、付記１に記載の消費電力の管理装置。
（付記３）前記判断手段は、計算された前記消費電力差に基づいて、前記三相間の不均衡の最大値を超えているか否かを判断する、付記２に記載の消費電力の管理装置。
（付記４）前記電子機器は、ベースボードマネジメントコントローラを内蔵するコンピュータ装置であり、
前記指示手段は、前記三相のうち、消費電力が多い相に接続されているコンピュータ装置のベースボードマネジメントコントローラに対しては、より小さい値を消費電力の上限値として設定し、消費電力が少ない相に接続されているコンピュータ装置のベースボードマネジメントコントローラに対しては、より大きい値を消費電力の上限値として設定するよう指示する、付記１乃至付記３のいずれか一つに記載の消費電力の管理装置。
（付記５）前記電子機器はコンピュータ装置であり、
前記指示手段は、前記コンピュータ装置へ処理を割り振る負荷分散装置に対し、前記三相のうち、消費電力が多い相に接続されているコンピュータ装置へ割り振る処理を削減し、消費電力が少ない相に接続されているコンピュータ装置へ割り振る処理を増加させるよう指示する、付記１乃至付記３のいずれか一つに記載の消費電力の管理装置。
（付記６）前記コンピュータ装置はベースボードマネジメントコントローラを内蔵しており、
前記指示手段は、前記三相のうち、消費電力が多い相に接続されているコンピュータ装置のベースボードマネジメントコントローラに対しては、より小さい値を消費電力の上限値として設定し、消費電力が少ない相に接続されているコンピュータ装置のベースボードマネジメントコントローラに対しては、より大きい値を消費電力の上限値として設定するよう指示する、付記５に記載の消費電力の管理装置。
（付記７）前記ベースボードマネジメントコントローラから、前記コンピュータ装置の消費電力値を入手する消費電力値入手手段をさらに有する、付記４乃至付記６のいずれか一つに記載の消費電力の管理装置。
（付記８）三相４線式交流電源に接続されたコンセントボックスから、前記三相のうちの第一相に基づいた単相出力、前記三相のうちの前記第一相とは異なる第二相に基づいた単相出力、或いは前記三相のうちの前記第一相及び前記第二相とは異なる第三相に基づいた単相出力による電源供給を受ける電子機器のための消費電力の管理方法であって、
前記三相のうちの前記第一相、前記第二相、及び前記第三相毎に、電源供給を受けている前記電子機器の消費電力値の合計を計算し、
前記計算された消費電力値の合計に基づいて、前記三相間の消費電力差を計算し、
前記計算された消費電力差に基づいて、前記電子機器の動作に関し指示する、消費電力の管理方法。
（付記９）計算された前記消費電力差に基づいて、前記三相間の不均衡を判断する、付記８に記載の消費電力の管理方法。
（付記１０）前記計算された消費電力差に基づいて、前記三相間の不均衡の最大値を超えているか否かを判断する、付記９に記載の消費電力の管理方法。
（付記１１）前記電子機器は、ベースボードマネジメントコントローラを内蔵するコンピュータ装置であり、
前記三相のうち、消費電力が多い相に接続されているコンピュータ装置のベースボードマネジメントコントローラに対しては、より小さい値を消費電力の上限値として設定し、消費電力が少ない相に接続されているコンピュータ装置のベースボードマネジメントコントローラに対しては、より大きい値を消費電力の上限値として設定するよう指示する、付記８乃至付記１０のいずれか一つに記載の消費電力の管理方法。
（付記１２）前記電子機器はコンピュータ装置であり、
前記コンピュータ装置へ処理を割り振る負荷分散装置に対し、前記三相のうち、消費電力が多い相に接続されているコンピュータ装置へ割り振る処理を削減し、消費電力が少ない相に接続されているコンピュータ装置へ割り振る処理を増加させるよう指示する、付記８乃至付記１０のいずれか一つに記載の消費電力の管理方法。
（付記１３）前記コンピュータ装置はベースボードマネジメントコントローラを内蔵しており、
前記コンピュータ装置へ処理を割り振る負荷分散装置に対し、前記三相のうち、消費電力が多い相に接続されているコンピュータ装置へ割り振る処理を削減し、消費電力が少ない相に接続されているコンピュータ装置へ割り振る処理を増加させるよう指示する、付記１２に記載の消費電力の管理方法。
（付記１４）前記ベースボードマネジメントコントローラから、前記コンピュータ装置の消費電力値を入手する、付記１１乃至付記１３のいずれか一つに記載の消費電力の管理方法。
（付記１５）三相４線式交流電源に接続されたコンセントボックスから、前記三相のうちの第一相に基づいた単相出力、前記三相のうちの前記第一相とは異なる第二相に基づいた単相出力、或いは前記三相のうちの前記第一相及び前記第二相とは異なる第三相に基づいた単相出力による電源供給を受ける電子機器のための消費電力の管理プログラムであって、
消費電力の管理装置を、
前記三相のうちの前記第一相、前記第二相、及び前記第三相毎に、電源供給を受けている前記電子機器の消費電力値の合計を計算する合計消費電力計算手段と、
前記計算された消費電力値の合計に基づいて、前記三相間の消費電力差を計算する消費電力差計算手段と、
前記計算された消費電力差に基づいて、前記電子機器の動作に関し指示する指示手段と、して機能させる消費電力の管理プログラム。
（付記１６）前記管理装置を、
計算された前記消費電力差に基づいて、前記三相間の不均衡を判断する判断手段としてさらに機能させる、付記１５に記載の消費電力の管理プログラム。
（付記１７）前記判断手段は、計算された前記消費電力差に基づいて、前記三相間の不均衡の最大値を超えているか否かを判断する、付記１６に記載の消費電力の管理プログラム。
（付記１８）前記電子機器は、ベースボードマネジメントコントローラを内蔵するコンピュータ装置であり、
前記指示手段は、前記三相のうち、消費電力が多い相に接続されているコンピュータ装置のベースボードマネジメントコントローラに対しては、より小さい値を消費電力の上限値として設定し、消費電力が少ない相に接続されているコンピュータ装置のベースボードマネジメントコントローラに対しては、より大きい値を消費電力の上限値として設定するよう指示する、付記１５乃至付記１７のいずれか一つに記載の消費電力の管理プログラム。
（付記１９）前記電子機器はコンピュータ装置であり、
前記指示手段は、前記コンピュータ装置へ処理を割り振る負荷分散装置に対し、前記三相のうち、消費電力が多い相に接続されているコンピュータ装置へ割り振る処理を削減し、消費電力が少ない相に接続されているコンピュータ装置へ割り振る処理を増加させるよう指示する、付記１５乃至付記１７のいずれか一つに記載の消費電力の管理プログラム。
（付記２０）前記コンピュータ装置はベースボードマネジメントコントローラを内蔵しており、
前記指示手段は、前記コンピュータ装置へ処理を割り振る負荷分散装置に対し、前記三相のうち、消費電力が多い相に接続されているコンピュータ装置へ割り振る処理を削減し、消費電力が少ない相に接続されているコンピュータ装置へ割り振る処理を増加させるよう指示する、付記１９の消費電力の管理プログラム。
（付記２１）前記管理装置を、
前記ベースボードマネジメントコントローラから、前記コンピュータ装置の消費電力値を入手する消費電力値入手手段としてさらに機能させる、付記１８乃至付記２０のいずれか一つに記載の消費電力の管理プログラム。
【符号の説明】
【０１０４】
１０〜１５    コンピュータ装置
２０、２０ａ    管理装置
２１    管理ソフトウェア
２２    管理プログラム
２３    消費電力値入手手段
２４    合計消費電力計算手段
２５    消費電力差計算手段
２６    判断手段
２７    指示手段
３０    コンセントボックス
３１〜３６    コンセント
３７    三相電源ケーブル
４０    分電盤
５０    管理用ネットワーク
５１    業務用ネットワーク
５２    外部ネットワーク
６０〜６５    電源ケーブル
７０    負荷分散装置
１００    ＢＭＣ
１０１    ＰＣＨ
１０２    ＮＭ
１０３、２０３    ＰＳＵ
１０４    メモリ
１０５    ＣＰＵ
１０６    ＩＯカード
１１０    ＳＭＢｕｓ
１１１    ＰＭＢｕｓ
１１２    ＤＤＲ４  Ｉ／Ｆ
１１３    ＰＣＩｅ  Ｉ／Ｆ
１１４    ＤＭＩ
１１５    ＰＥＣＩ
【図１】
0006044662.tif 000002
【図２】
0006044662.tif 000003
【図３】
0006044662.tif 000004
【図４】
0006044662.tif 000005
【図５】
0006044662.tif 000006
【図６】
0006044662.tif 000007
【図７】
0006044662.tif 000008
【図８】
0006044662.tif 000009